【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
尿吸引システムのための身体インターフェースデバイスであって、
皮膚に接着するための接着性皮膚接触パッドであって、該パッドを介して該身体インターフェースデバイスに尿を入れるための少なくとも１つの開口部を含むパッドと、
該パッドに取り付けられ、かつ該パッドから離れて突出する膨れた形を有するカバーであって、該カバーは、（ｉ）排出された尿を収容するための該パッドに対向する液体回収室領域と、（ｉｉ）該液体回収室領域の外部において非接触型液体センサを少なくとも部分的に収容するための凹部とを画定し、該液体回収室部分および該凹部は、相互に隣接し、該液体回収室領域および該凹部に共通である壁部分によって分離されるカバーと
を備える、身体インターフェースデバイス。
【請求項２】
前記凹部は、前記膨れた形でポケットにより画定される、請求項１に記載の身体インターフェースデバイス。
【請求項３】
前記液体回収室領域は、前記接着パッドにほぼ垂直である深さ方向に少なくとも部分的に前記凹部に重複する、請求項１に記載の身体インターフェースデバイス。
【請求項４】
前記壁部分は、カップまたはウェル形状を有する、請求項１に記載の身体インターフェースデバイス。
【請求項５】
前記カバーの前記膨れた形は、前記デバイスの深さ方向における外形の高さを画定し、前記壁部分は、該外形の高さ未満の距離によって前記接着パッドから離れている、請求項１に記載の身体インターフェースデバイス。
【請求項６】
前記凹部は、前記室の最深部おいて、該室の深さ未満の深さを有する、請求項１に記載の身体インターフェースデバイス。
【請求項７】
前記凹部は、前記室の周囲内において入れ子式である、請求項１に記載の身体インターフェースデバイス。
【請求項８】
前記カバーは、前記接着パッドの少なくとも周囲領域と向かい合って接触するフランジ部分をさらに備える、請求項１に記載の身体インターフェースデバイス。
【請求項９】
前記接着パッドは、前記第１の室の開口の上に少なくとも部分的に延在する、請求項１に記載の身体インターフェースデバイス。
【請求項１０】
前記カバーは、前記室と連通する尿排出口をさらに備え、そこから尿を吸引する、請求項１に記載の身体インターフェースデバイス。
【請求項１１】
前記カバーは可撓性である、請求項１に記載の身体インターフェースデバイス。
【請求項１２】
前記可撓性カバーは、熱成形された形状を有する、請求項１１に記載の身体インターフェースデバイス。
【請求項１３】
前記可撓性カバーは、１つ以上のポリオレフィンから作製される、請求項１１に記載の身体インターフェースデバイス。
【請求項１４】
前記接着パッドは、前記皮膚に接着するためにゲル接着剤を備えるかまたは担持する、請求項１に記載の身体インターフェースデバイス。
【請求項１５】
前記ゲル接着剤は、熱可塑性エラストマー、ポリウレタン、ヒドロゲル、シリコーン、アクリル、親水コロイドから選択される１つ以上の材料を備える、請求項１４に記載の身体インターフェースデバイス。
【請求項１６】
前記ゲル接着剤は、（ｉ）少なくとも３００グラムのタック、（ｉｉ）少なくとも０．２Ｎ／インチの接着強度、（ｉｉｉ）３Ｎ／インチ以下の剥離強度の接着特性のうちの１つ以上を有する、請求項１４に記載の身体インターフェースデバイス。
【請求項１７】
前記ゲル接着剤は、（ｉ）少なくとも２ミル、（ｉｉ）少なくとも２０ミルから選択される厚さを有する、請求項１４に記載の身体インターフェースデバイス。
【請求項１８】
排出された尿を前記身体インターフェースデバイスに入手し、前記壁部分に隣接して尿を分配するための前記液体回収室領域内に配置される液体捕捉材料をさらに備える、請求項１４に記載の身体インターフェースデバイス。
【請求項１９】
前記液体捕捉材料は、（ｉ）尿を吸い上げるための吸い上げ特徴、（ｉｉ）疎水性の液体処理特性のうちの１つ以上を有する、請求項１８に記載の身体インターフェースデバイス。
【請求項２０】
前記液体捕捉材料は、接合ＰＥＴ繊維フリース、ニードルパンチ不織布、セルロース繊維から選択される１つ以上を備える、請求項１８に記載の身体インターフェースデバイス。
【請求項２１】
前記第１の室内における尿の存在を前記壁部分を介して検知するための、前記凹部内に収容されるか、または収容可能である非接触型液体センサをさらに備える、請求項１に記載の身体インターフェースデバイス。
【請求項２２】
前記非接触型液体センサは、前記カバーから分離可能である、請求項２１に記載の身体インターフェースデバイス。
【請求項２３】
前記非接触型液体センサは、前記カバーに永久的に取り付けられる、請求項２１に記載の身体インターフェースデバイス。
【請求項２４】
前記非接触型液体センサは、静電容量センサ、超音波センサ、圧電センサ、圧力共振センサ、温度センサ、電気光学センサから選択されるセンサである、請求項２１に記載の身体インターフェースデバイス。
【請求項２５】
前記接着パッドおよび前記カバーは、女性の生殖器部に装着するために形作られる、請求項１に記載の身体インターフェースデバイス。
【請求項２６】
前記接着パッドは、梨形状、端部が拡大されたボート形状から選択される形状を有する、請求項２５に記載の前記身体インターフェースデバイス。
【請求項２７】
尿吸引システムのための身体インターフェースデバイスであって、
皮膚に接着するためのゲル接着剤を備えるかまたは担持する皮膚接触パッドであって、該ガスケットは、該ガスケットを介して該身体インターフェースデバイスに尿を入れるための少なくとも１つの開口部を含むパッドと、
該ガスケットに取り付けられ、かつ該ガスケットから離れて突出する膨れた形を有する可撓性カバーであって、尿を収容するための該ガスケットに対向する液体回収室領域を画定する可撓性カバーと
を備える、身体インターフェースデバイス。
【請求項２８】
尿吸引システムのための身体インターフェースデバイスであって、
該デバイスに排出された尿を収容するための液体回収室領域を画定するカバーであって、該液体回収室領域は、該カバーの島状または半島状の領域の周囲に少なくとも部分的に延在するトラフ領域を含むカバーと、
該液体回収室領域と非接触関係で、該カバーの該島状または半島状領域内に配置される非接触型液体センサと、
該非接触型液体センサによって検知するために、該液体回収室の回収領域に入る尿を捕捉し、該島状または半島状領域に隣接して該尿を移送するための、該液体回収室領域内の液体捕捉材料と
を備える、身体インターフェースデバイス。
【請求項２９】
前記身体インターフェースデバイスは、前記女性の生殖器部に対して封止するように構成される、請求項２８に記載の前記身体インターフェースデバイス。
【手続補正２】
【補正対象書類名】明細書
【補正対象項目名】００１５
【補正方法】変更
【補正の内容】
【００１５】
本発明の一定の側面、特徴、および利点について上記および添付の請求項に規定しているが、本明細書および図面において強調されているか否かに関わらず、本明細書に説明され、および／または図面において例証されるいかなる新規の特徴または着想に対する主張の保護も求められ得る。
例えば、本発明は以下の項目を提供する。
（項目１）
尿吸引システムのための身体インターフェースデバイスであって、
皮膚に接着するための接着性皮膚接触パッドであって、該パッドを介して該身体インターフェースデバイスに尿を入れるための少なくとも１つの開口部を含むパッドと、
該パッドに取り付けられ、かつ該パッドから離れて突出する膨れた形を有するカバーであって、該カバーは、（ｉ）排出された尿を収容するための該パッドに対向する液体回収室領域と、（ｉｉ）該液体回収室領域の外部において非接触型液体センサを少なくとも部分的に収容するための凹部とを画定し、該液体回収室部分および該凹部は、相互に隣接し、該液体回収室領域および該凹部に共通である壁部分によって分離されるカバーと
を備える、身体インターフェースデバイス。
（項目２）
上記凹部は、上記膨れた形でポケットにより画定される、項目１に記載の身体インターフェースデバイス。
（項目３）
上記液体回収室領域は、上記接着パッドにほぼ垂直である深さ方向に少なくとも部分的に上記凹部に重複する、項目１または２に記載の身体インターフェースデバイス。
（項目４）
上記壁部分は、カップまたはウェル形状を有する、項目１、２、または３に記載の身体インターフェースデバイス。
（項目５）
上記カバーの上記膨れた形は、上記デバイスの深さ方向における外形の高さを画定し、上記壁部分は、該外形の高さ未満の距離によって上記接着パッドから離れている、項目１〜項目４のいずれか１項に記載の身体インターフェースデバイス。
（項目６）
上記凹部は、上記室の最深部おいて、該室の深さ未満の深さを有する、項目１〜項目５のいずれか１項に記載の身体インターフェースデバイス。
（項目７）
上記凹部は、上記室の周囲内において入れ子式である、項目１〜項目６のいずれか１項に記載の身体インターフェースデバイス。
（項目８）
上記カバーは、上記接着パッドの少なくとも周囲領域と向かい合って接触するフランジ部分をさらに備える、項目１〜項目７のいずれか１項に記載の身体インターフェースデバイス。
（項目９）
上記接着パッドは、上記第１の室の開口の上に少なくとも部分的に延在する、項目１〜項目８のいずれか１項に記載の身体インターフェースデバイス。
（項目１０）
上記カバーは、上記室と連通する尿排出口をさらに備え、そこから尿を吸引する、項目１〜項目９のいずれか１項に記載の身体インターフェースデバイス。
（項目１１）
上記カバーは可撓性である、項目１〜項目１０のいずれか１項に記載の身体インターフェースデバイス。
（項目１２）
上記可撓性カバーは、熱成形された形状を有する、項目１１に記載の身体インターフェースデバイス。
（項目１３）
上記可撓性カバーは、１つ以上のポリオレフィンから作製される、項目１１または１２に記載の身体インターフェースデバイス。
（項目１４）
上記接着パッドは、上記皮膚に接着するためにゲル接着剤を備えるかまたは担持する、項目１〜項目１３のいずれか１項に記載の身体インターフェースデバイス。
（項目１５）
上記ゲル接着剤は、熱可塑性エラストマー、ポリウレタン、ヒドロゲル、シリコーン、アクリル、親水コロイドから選択される１つ以上の材料を備える、項目１４に記載の身体インターフェースデバイス。
（項目１６）
上記ゲル接着剤は、（ｉ）少なくとも３００グラムのタック、（ｉｉ）少なくとも０．２Ｎ／インチの接着強度、（ｉｉｉ）３Ｎ／インチ以下の剥離強度の接着特性のうちの１つ以上を有する、項目１４または１５に記載の身体インターフェースデバイス。
（項目１７）
上記ゲル接着剤は、（ｉ）少なくとも２ミル、（ｉｉ）少なくとも２０ミルから選択される厚さを有する、項目１４、１５、または１６に記載の身体インターフェースデバイス。
（項目１８）
排出された尿を上記身体インターフェースデバイスに入手し、上記壁部分に隣接して尿を分配するための上記液体回収室領域内に配置される液体捕捉材料をさらに備える、項目１〜項目１７のいずれか１項に記載の身体インターフェースデバイス。
（項目１９）
上記液体捕捉材料は、（ｉ）尿を吸い上げるための吸い上げ特徴、（ｉｉ）疎水性の液体処理特性のうちの１つ以上を有する、項目１８に記載の身体インターフェースデバイス。
（項目２０）
上記液体捕捉材料は、接合ＰＥＴ繊維フリース、ニードルパンチ不織布、セルロース繊維から選択される１つ以上を備える、項目１８または１９に記載の身体インターフェースデバイス。
（項目２１）
上記第１の室内における尿の存在を上記壁部分を介して検知するための、上記凹部内に収容されるか、または収容可能である非接触型液体センサをさらに備える、項目１〜項目２０のいずれか１項に記載の身体インターフェースデバイス。
（項目２２）
上記非接触型液体センサは、上記カバーから分離可能である、項目２１に記載の身体インターフェースデバイス。
（項目２３）
上記非接触型液体センサは、上記カバーに永久的に取り付けられる、項目２１に記載の身体インターフェースデバイス。
（項目２４）
上記非接触型液体センサは、静電容量センサ、超音波センサ、圧電センサ、圧力共振センサ、温度センサ、電気光学センサから選択されるセンサである、項目２１、２２、または２３に記載の身体インターフェースデバイス。
（項目２５）
上記接着パッドおよび上記カバーは、女性の生殖器部に装着するために形作られる、
項目１〜項目２４のいずれか１項に記載の身体インターフェースデバイス。
（項目２６）
上記接着パッドは、梨形状、端部が拡大されたボート形状から選択される形状を有する、項目２５に記載の上記身体インターフェースデバイス。
（項目２７）
尿吸引システムのための身体インターフェースデバイスであって、
皮膚に接着するためのゲル接着剤を備えるかまたは担持する皮膚接触パッドであって、該ガスケットは、該ガスケットを介して該身体インターフェースデバイスに尿を入れるための少なくとも１つの開口部を含むパッドと、
該ガスケットに取り付けられ、かつ該ガスケットから離れて突出する膨れた形を有する可撓性カバーであって、尿を収容するための該ガスケットに対向する液体回収室領域を画定する可撓性カバーと
を備える、身体インターフェースデバイス。
（項目２８）
尿吸引システムのための身体インターフェースデバイスであって、
皮膚に接着するための接着性皮膚接触パッドであって、該ガスケットは、該ガスケットを介して該身体インターフェースデバイスに尿を入れるための少なくとも１つの開口部を含むパッドと、
該ガスケットから離れて突出する膨れた形を有する可撓性カバーであって、該可撓性カバーは、尿を収容するための該ガスケットの方向に向く液体回収室領域と、非接触型液体センサを収容するための該ガスケットから離れた方向に向くセンサ凹部とを画定し、該凹部および該室は、壁部分を共有する、可撓性カバーと
を備える、身体インターフェースデバイス。
（項目２９）
尿吸引システムのための身体インターフェースデバイスであって、
該デバイスに排出された尿を収容するための液体回収室領域を画定するカバーであって、該液体回収室領域は、該カバーの島状または半島状の領域の周囲に少なくとも部分的に延在するトラフ領域を含むカバーと、
該液体回収室領域と非接触関係で、該カバーの該島状または半島状領域内に配置される非接触型液体センサと、
該非接触型液体センサによって検知するために、該液体回収室の回収領域に入る尿を捕捉し、該島状または半島状領域に隣接して該尿を移送するための、該液体回収室領域内の液体捕捉材料と
を備える、身体インターフェースデバイス。
（項目３０）
上記身体インターフェースデバイスは、上記女性の生殖器部に対して封止するように構成される、項目２７〜２９のいずれか１項に記載の上記身体インターフェースデバイス。